(57)【要約】【課題】吸入グリルの開閉動作を精度良く検知し、安全な空気調和機を提供する。【解決手段】上部を回動中心に回動するとともに前面枠１の開口１ａを開閉する吸入グリル２と、前面枠１に設けられ吸入グリル２の下部を保持する受け部４と、電気式の空気清浄手段１１と、前記吸入グリル２の下部に接離して前記吸入グリル２の開閉状態を検知する検知部３を備え、前記検知部３で前記吸入グリル２の開成が検知された時に、前記空気清浄手段１１への通電を遮断するようにしたもので、前面枠１と吸入グリル２の位置決めを行う受け部４と同じ下方に検知部３を設けたので、吸入グリル２の開閉動作を精度良く検知することができる。【選択図】図１
2005140400.tif 000002
【特許請求の範囲】
【請求項１】
熱交換器と、本体の前部に設けられ開口を有する前面枠と、上部を回動中心に回動するとともに前記開口を開閉する吸入グリルと、前面枠に設けられ前記吸入グリルの下部を保持する保持手段と、電気式の空気清浄手段と、前記吸入グリルの下部に接離して前記吸入グリルの開閉状態を検知する検知部を備え、前記検知部で前記グリルの開成が検知された時に、前記空気清浄手段への通電を遮断することを特徴とする空調和機。
【請求項２】
検知部を保持手段の近傍に設けた請求項１記載の空気調和機。
【請求項３】
熱交換器からの凝縮水を受ける水受け皿を設け、検知部を前記水受け皿に取り付けた請求項１または２記載の空気調和機。
【発明の詳細な説明】
【技術分野】
【０００１】
本発明は、空気清浄手段を具備した空気調和機に関するものである。
【背景技術】
【０００２】
従来の、電気式空気清浄手段を内蔵した空気調和機を、図７を用いて説明する。図７において、１０は外装を構成する台枠、１４は風回路及び水処理を行なう吹き出しグリル、１５は台枠１０に固定され電装品を収納する電源板、１６は電装品をカバーする電源カバー、１は外装を構成する前面枠、２は、同じく外装の一部を形成すると共に回動支点２ｂを中心に回動自在に前面枠１に取着された吸入グリルである。１１は、吸入グリル２の背後の配置された電気式の空気清浄手段である。
【０００３】
３は、吸入グリル２の開閉を検知すると共に空気清浄手段１１の通電を入り切りする検知部で、特殊具１７を介して電源カバー１６に固定されている。
【０００４】
２ａは、吸入グリル２の裏面に設けられた突起で、吸入グリル２の開閉時に、検知部３に離接させるようにしたものである。
【０００５】
以上の構成により、吸入グリル２が閉じられているときは、突起２ａが検知部３に当接して、空気清浄手段１１への通電が維持されるが、空気調和機用フイルター（図示せず）の清掃等で吸入グリル２を開けようとすると、突起２ａが検知部３より離反し、高電圧で動作している空気清浄手段１１への通電が遮断され、安全が確保されるようになっている（例えば、特許文献１参照）。
【特許文献１】特開平３−１４８５３２号公報
【発明の開示】
【発明が解決しようとする課題】
【０００６】
しかしながら、上記従来の構成では、検知部３の位置が、吸入グリル２の回動支点２ｂがある上方部に位置しており、しかも台枠１０に取り付けられた前面枠１と吸入グリル２との位置決め部が無いため、吸入グリル２の開閉時の突起２ａの前後方向の動きにばらつきが大きく発生し、その結果、検知部３が、吸入グリル２の開閉動作を精度良く検知する事ができないという課題を有していた。また、検知部３に達するまでに、介在部品が多く有り、それぞれの部品公差、組み立てばらつき等で検知部３の取り付け位置も不安定になるという課題も有していた。
【０００７】
本発明はこのような従来の課題を解決するものであり、吸入グリルの開閉動作を精度良く検知し、吸入グリルが開かれたときに確実に空気清浄手段への通電を遮断する安全な空気調和機を提供することを目的とするものである。
【課題を解決するための手段】
【０００８】
上記課題を解決するために本発明の空気調和機は、開口を有する前面枠と、上部を回動中心に回動するとともに前記開口を開閉する吸入グリルと、前面枠に設けられ前記吸入グリルの下部を保持する保持手段と、電気式の空気清浄手段と、前記吸入グリルの下部に接離して前記吸入グリルの開閉状態を検知する検知部を備え、前記検知部で前記グリルの開成が検知された時に、前記空気清浄手段への通電を遮断するようにしたもので、検知部を吸入グリルと前面枠の位置決めが行われる保持手段と同じ下方に設けたので、吸入グリルの開閉動作を精度良く検知する事ができ、吸入グリルが閉じられているときは、空気清浄手段が安定して運転され、開けられた時には、瞬時に空気清浄手段への通電を遮断する安全な空気調和機を提供する事ができる。
【発明の効果】
【０００９】
本発明の空気調和機は、吸入グリルの開閉動作を精度良く検知し、吸入グリルが開かれたときに確実に空気清浄手段への通電を遮断する事ができる。
【発明を実施するための最良の形態】
【００１０】
第１の発明は、熱交換器と、本体の前部に設けられ開口を有する前面枠と、上部を回動中心に回動するとともに前記開口を開閉する吸入グリルと、前面枠に設けられ前記吸入グリルの下部を保持する保持手段と、電気式の空気清浄手段と、前記吸入グリルの下部に接離して前記吸入グリルの開閉状態を検知する検知部を備え、前記検知部で前記グリルの開成が検知された時に、前記空気清浄手段への通電を遮断するようにしたもので、検知部を吸入グリルと前面枠の位置決めが行われる保持手段と同じ下方に設けたので、吸入グリルの開閉動作を精度良く検知する事ができ、吸入グリルが閉じられているときは、空気清浄手段が安定して運転され、開けられた時には、瞬時に空気清浄手段への通電を遮断する安全な空気調和機を提供する事ができる。
【００１１】
第２の発明は、前面枠と吸入グリルの位置決めがされる保持手段の近傍に検知部を設けたもので、前面枠と、吸入グリルの固定バラツキによる影響が少なく検知部の動作が確実になる。
【００１２】
第３の発明は、熱交換器からの凝縮水を受ける水受け皿を設け、検知部を前記水受け皿に取り付けたもので、検知部までの構成部品が少なくて済むので、組みたて上のばらつきが低減されるので検知部の動作精度がさらに向上する。
【００１３】
以下、本発明の実施の形態について、図面を参照しながら説明する。なお、この実施の形態によって本発明が限定されるものではない。
【００１４】
（実施の形態１）
以下に、本発明の第１の実施の形態について図１、２を用いて説明する。なお、従来例と同一部分については、同一符号、同一名称を用いてその説明を省略する。
【００１５】
図１は、本実施の形態の空気調和機の部分横断面図を示すもので、１は外装を構成するとともに開口１ａを有する前面枠、２は前面枠１に回動支点２ｂを中心に回動自在に取着され前記開口１ａを開閉する吸入グリルである。３は、吸入グリル２の開閉を検知し、その検知結果に応じて空気清浄手段（図示せず）への通電を入り切りする検知部、４は前面枠１に設けられた受け部で、５は吸入グリル２に設けられ、吸入グリル２が閉じられた時に、受け部４で保持固定されるキャッチ部である。６は吸入グリル２に設けられ、吸入グリル２の開閉動作時に、検知部３より離反、当接する突起である。
【００１６】
図２は、上記空気調和機の正面図である。同図において、７は、空気調和機を据付工事する際に、内外接続線を結線するときに開いて工事する扉である。８は前面枠１に設けられ、吸入グリル２に設けたアーム（図示せず）を回動自在に支持する支持部で、前述の回動支点２ａとなる部分である。９は前面枠１を台枠１０に固定するネジ取り付け部である。１８は、空気調和機に内蔵された熱交換器である。
【００１７】
上記構成による動作は以下の通りである。
【００１８】
吸入グリル２が閉じられている状態では、吸入グリル２側のキャッチ部５が前面枠１に設けた受け部４で保持固定されているので、吸入グリル２と前面枠１の位置決めが確実に行われている。これにより、吸入グリル２に設けた突起２ａが検知部３にずれることなく確実に当接し、空気清浄手段１１の運転が安定して行われる。また、清掃等の目的で、吸入グリル２が開けられた時は、検知部３から突起２ａが離れ、瞬時に空気清浄手段１１への通電が遮断されるので、極めて安全である。
【００１９】
このように本実施の形態によれば、前面枠１と吸入グリル２の位置決めを行う受け部４と同じ下方に検知部３を設けたので、吸入グリル２の開閉動作を精度良く検知し、吸入グリル２が閉じられているときは、空気清浄手段１１が安定して運転され、開けられた時には、瞬時に空気清浄手段１１への通電を遮断する安全な空気調和機を提供する事ができる。
【００２０】
（実施の形態２）
以下に、本発明の第２の実施の形態について、図３を用いて説明する。なお、上記実施の形態と同一部分については、同一符号、同一名称を用いてその説明を省略する。
【００２１】
本実施の形態は、図３に示すように、検知部３を、前面枠１に設けた受け部４の近傍に設けたもので、吸入グリル２と前面枠１との位置決めが行われる受け部４の近傍に検知部３が設けられているので、検知部３による吸入グリル２の開閉動作をさらに精度良く検知する事ができるようになる。
【００２２】
（実施の形態３）
以下に、本発明の第３の実施の形態について、図４〜６を用いて説明する。なお、上記実施の形態と同一部分については、同一符号、同一名称を用いてその説明を省略する。
【００２３】
１２は台枠１０にネジ止めされ、熱交換器１８からの凝縮水を処理する水受け皿で、１３は検知部３を保持する特殊具で、１３ａは検知部３とともに特殊具１３を水受け皿１２に固定するネジである。
【００２４】
この構成により検知部３までの構造物は、台枠１０、水受け皿１２、特殊具１３と限りなく少なくなる。またそれぞれの構造物はネジにより固定されており、より取り付けが強固な物になり、検知部３の取り付け精度が向上し、おのずと吸入グリル２の開閉動作の検知精度も向上するものである。
【産業上の利用可能性】
【００２５】
以上のように、本発明にかかる空気調和機は、吸入グリルの開閉動作を精度良く検知し、吸入グリルが開かれたときに確実に空気清浄手段への通電を遮断する事ができるので、調整、清掃、点検等で開閉される部材の内部に高電圧が加わったものや、回転物、鋭利なもの等が収納された各種機器にも適用可能である。
【図面の簡単な説明】
【００２６】
【図１】本発明の第１の実施の形態を示す空気調和機の横断面図
【図２】同空気調和機の部分正面図
【図３】本発明の第２の実施の形態を示す空気調和機の部分正面図
【図４】本発明の第３の実施の形態を示す空気調和機の断面図
【図５】同空気調和機の要部断面図
【図６】同空気調和機の要部正面図
【図７】従来の空気調和機を示す部分断面図
【符号の説明】
【００２７】
１    前面枠
１ａ    開口
２    吸入グリル
３    検知部
４    受け部（保持手段）
５    キャッチ部
６    突起部
７    扉
８    挿入部
９    ネジ取り付け部
１０    台枠
１１    空気清浄手段
１２    水受け皿
１３    特殊具
【図１】
2005140400.tif 000003
【図２】
2005140400.tif 000004
【図３】
2005140400.tif 000005
【図４】
2005140400.tif 000006
【図５】
2005140400.tif 000007
【図６】
2005140400.tif 000008
【図７】
2005140400.tif 000009